(57)【要約】      （修正有）【課題】利用者の手元に小型デイスプレイを有する補助表示端末を設け、小型画面に対応した表示レートの画像を表示すると共に該小型画面を直接操作する。【解決手段】ＣＡＴＶ端末システムを、番組コンテンツを選択受信しインターネットＮ１と接続するＣＡＴＶ受信手段１と、ＰＣボード３と、複数の画像データを選択出力する画像変換・選択手段４と、画像データを任意の表示レートに変換する第一のスケーラ手段６と、第二の前記スケーラ手段６’と、複数音声を選択出力する入力音声選択部５と、同期生成手段８と、第一のスケーラ手段６、同期生成手段８、任意の音声データの選択出力などを合成出力する第一のドライバ９と、第二のドライバ９’と、ＰＩＰ制御手段１０と、第一のドライバ９よりの出力番組の表示と音声を出力する主表示部Ｍ１とを有するＣＡＴＶ端末２と、第二のドライバ９’よりの出力番組の表示と音声出力する補助表示端末Ｍ２とで基本構成する。【選択図】図１
2006352812.tif 000002
【特許請求の範囲】
【請求項１】
ＣＡＴＶ回線を経由して番組コンテンツを受信するＣＡＴＶ端末システムにあって、ＣＡＴＶ局から送出される番組コンテンツを選択受信すると共に一般のインターネットと接続する機能を有するＣＡＴＶ受信手段と、
前記ＣＡＴＶ受信手段の外部制御、インターネットブラウザ制御、該受信手段との通信接続制御及び内部制御などを行うＰＣボードと、前記ＣＡＴＶ受信手段からの画像及び該ＰＣボードよりのコンテンツ画像などをデータ変換し、複数の画像データを選択出力する画像変換・選択手段と、画像データを任意の表示レートに変換すると共に画像をマルチ表示もしくは重畳表示させるオーバレイ機能を有する第一のスケーラ手段と、第二の前記スケーラ手段と、前記ＣＡＴＶ受信手段からの音声及び該ＰＣボードよりの音声データを複数選択出力する入力音声選択部と、複数の同期信号を生成出力する同期生成手段と、前記の第一のスケーラ手段よりの画像データと前記同期信号とを合成出力すると共に前記入力音声選択部よりの複数の音声データより任意の音声データを選択出力する第一のドライバと、前記の第二のスケーラ手段よりの画像データと前記同期信号とを合成出力すると共に前記入力音声選択部よりの複数の音声データより任意の音声データを選択出力する第二のドライバと、前記画像変換・選択手段、スケーラ手段、同期生成手段、入力音声選択部、ＰＣボード、リモコン入力処理などを制御するＰＩＰ制御手段と、前記第一のドライバよりの出力番組（出力コテンツ）の表示と音声を出力する主表示部とを有するＣＡＴＶ端末と、
前記第二のドライバよりの出力番組（出力コテンツ）の表示と音声出力する補助表示端末とで構成し、且つ、前記第一のドライバ及び第二のドライバの出力は各々任意の表示レートで選択出力とすることを特徴とするＣＡＴＶ端末システム。
【請求項２】
前記ＣＡＴＶ端末の画像変換・選択手段に、受信選択した番組コンテンツよりコンテンツデータを分離出力するコンテンツデータ分離部を追加設置することを特徴とする請求項１に記載のＣＡＴＶ端末システム。
【請求項３】
前記ＣＡＴＶ端末に、前記リモコンの選択情報、受信チャンネル情報、音量情報などをスクリーン上に表示出力するオンスクリーンデスプレイ（以下  ＯＳＤと略示する）処理部を追加設置することを特徴とする請求項１に記載のＣＡＴＶ端末システム。
【請求項４】
前記ＣＡＴＶ端末のＰＣボードに、インターネットやＣＡＴＶ上のメールアドレスやＵＲＬ（Ｕｎｉｆｏｒｍ  Ｒｅｓｏｕｒｃｅ  Ｌｏｃａｔｉｏｎ）などを記憶登録するブックマークを追加設置することを特徴とする請求項１に記載のＣＡＴＶ端末システム。
【請求項５】
前記ＣＡＴＶ端末に、３個以上の前記スケーラ手段及びドライバを備えると共に各々任意の表示レートで選択出力とすることを特徴とする請求項１に記載のＣＡＴＶ端末システム。
【請求項６】
前記補助表示端末の表示面上にタッチパネル手段を付設し、該補助表示端末より前記ＣＡＴＶ端末の操作入力を可能とすることを特徴とする請求項１に記載のＣＡＴＶ端末システム。
【請求項７】
前記ＣＡＴＶ端末と前記補助表示端末に、画像データ、音声データ及び制御データを重畳したシリアルデータに変調・復調するエンコーダ・デコーダと、無線方式の送受信を行う通信手段とを追加設置し、前記両端末をコードレス接続することを特徴とする請求項１に記載のＣＡＴＶ端末システム。
【請求項８】
前記通信手段を誤差拡散法による微弱電波伝送、若しくは無線ＬＡＮ（Ｌｏｃａｌ  Ａｒｅａ  Ｎｅｔｗｏｋｓ）などの電波伝送手段とすることを特徴とする請求項７に記載のＣＡＴＶ端末システム。
【請求項９】
前記通信手段を赤外線伝送などの光通信手段とすることを特徴とする請求項７に記載のＣＡＴＶ端末システム。
【請求項１０】
ＣＡＴＶ回線を経由して番組コンテンツを受信するＣＡＴＶ端末システムにあって、ＣＡＴＶ局から送出される番組コンテンツを選択受信すると共に一般のインターネットと接続する機能を有するＣＡＴＶ受信手段と、
前記ＣＡＴＶ受信手段の外部制御、インターネットブラウザ制御、該受信手段との通信接続制御及び内部制御などを行うＰＣボードと、前記ＣＡＴＶ受信手段からの画像及び該ＰＣボードよりのコンテンツ画像などをデータ変換し、複数の画像データを選択出力する画像変換・選択手段と、画像データを任意の表示レートに変換すると共に画像をマルチ表示もしくは重畳表示させるオーバレイ機能を有する第一のスケーラ手段と、第二の前記スケーラ手段と、前記ＣＡＴＶ受信手段からの音声及び該ＰＣボードよりの音声データを複数選択出力する入力音声選択部と、複数の同期信号を生成出力する同期生成手段と、前記の第一のスケーラ手段よりの画像データと前記同期信号とを合成出力すると共に前記入力音声選択部よりの複数の音声データより任意の音声データを選択出力する第一のドライバと、前記の第二のスケーラ手段よりの画像データと前記同期信号とを合成出力すると共に前記入力音声選択部よりの複数の音声データより任意の音声データを選択出力する第二のドライバと、前記画像変換・選択手段、スケーラ手段、同期生成手段、入力音声選択部、ＰＣボード、リモコン入力処理などを制御するＰＩＰ制御手段と、前記第一のドライバよりの出力番組（出力コテンツ）の表示と音声を出力する主表示部とを有するＣＡＴＶ端末と、
前記第二のドライバよりの出力番組（出力コテンツ）の表示と音声を出力する補助表示端末とで構成されるＣＡＴＶ端末システムを用いて、
前記画像変換・選択手段は前記ＣＡＴＶ受信手段よりの番組コンテンツ、前記ＰＣボードにより生成されたＰＣ画像、外部のＡＶ機器の画像など複数の画像信号を画像データ化し、
前記第一のスケーラ手段は、前記主表示部に表示する所定表示レートの画像データに第一のスケーリング出力を行い、
前記第二のスケーラ手段は、前記補助主表示端末に表示する所定表示レートの画像データに第二のスケーリング出力を行い、
前記音声入力選択手段は、前記ＣＡＴＶ受信手段よりの番組音声、前記ＰＣボードにより生成されたＰＣ音声、外部のＡＶ機器の音声など複数の音声信号を選択入力し、
前記第一のドライバは、該第一のスケーリング出力と、同期生成手段が生成した該当表示レート同期信号と、所定の音声データとを選択合成して前記主表示部に入力し、
前記第二のドライバは、該第二のスケーリング出力と、同期生成手段が生成した該当表示レート同期信号と、所定の音声データとを選択合成して前記補助表示端末に入力することを特徴とするＣＡＴＶ端末の表示及び制御方法。
【請求項１１】
前記ＣＡＴＶ端末の起動時には、
前記ＰＣボードは該ＣＡＴＶ端末の所定の初期画面データを生成出力し、前記ＰＩＰ制御手段は画像変換・選択手段及びスケーラ手段に該当初期画像の選択制御を行うことを特徴とする請求項１０に記載のＣＡＴＶ端末の表示及び制御方法。
【請求項１２】
前記ＰＣボードは、コンテンツ選択ボタン画像を生成し、前記ＰＩＰ制御手段は画像変換・選択手段及びスケーラ手段に、該選択ボタン画像の選択制御を行うことを特徴とする請求項１０に記載のＣＡＴＶ端末の表示及び制御方法。
【請求項１３】
前記ＰＣボードは、インターネット接続ボタン画像を生成し、前記ＰＩＰ制御手段は画像変換・選択手段及びスケーラ手段に、該インターネット接続ボタン画像の選択制御を行うことを特徴とする請求項１０に記載のＣＡＴＶ端末の表示及び制御方法。
【請求項１４】
前記ＰＣボードは、ブックマークデータを記憶すると共にブックマーク選択ボタン画像を生成し、前記ＰＩＰ制御手段は画像変換・選択手段及びスケーラ手段に、該ブックマーク選択ボタン画像の選択制御を行うことを特徴とする請求項１０に記載のＣＡＴＶ端末の表示及び制御方法。
【請求項１５】
前記ＰＩＰ制御手段は、画像変換・選択手段に、第一のスケーラ手段と第二のスケーラ手段に各々任意の画像データの出力選択制御を行うことを特徴とする請求項１０に記載のＣＡＴＶ端末の表示及び制御方法。
【請求項１６】
前記補助表示端末の表示面にタッチパネル手段を付設し、該補助表示端末に表示されたコンテンツ選択ボタン、インターネット接続ボタン、ブックマーク選択ボタンなどを直接タッチ入力することを特徴とする請求項１０に記載のＣＡＴＶ端末の表示及び制御方法。
【請求項１７】
前記ＣＡＴＶ端末と補助表示端末にエンコーダ・デコーダと無線通信手段を追加設置し、両端末をコードレスで接続して操作・表示することを特徴とする請求項１０に記載のＣＡＴＶ端末の表示及び制御方法。
【請求項１８】
前記無線通信手段を誤差拡散法による微弱電波伝送、若しくは無線ＬＡＮなどの電波伝送手段とすることを特徴とする請求項１０に記載のＣＡＴＶ端末の表示及び制御方法。
【請求項１９】
前記無線通信手段を赤外線伝送などの光通信手段とすることを特徴とする請求項１０に記載のＣＡＴＶ端末の表示及び制御方法。
【請求項２０】
前記ＣＡＴＶ端末に、３個以上の前記スケーラ手段及びドライバを備えると共に各々任意の表示レートで選択出力し、前記ＣＡＴＶ端末に操作機能を有する複数の補助表示端末を接続し、該ＣＡＴＶ端末を複数人による独立操作とすることを特徴とする請求項１０に記載のＣＡＴＶ端末の表示及び制御方法。
【発明の詳細な説明】
【技術分野】
【０００１】  本発明はＣＡＴＶ回線に接続され、供給される番組コンテンツを利用するＣＡＴＶ端末とＣＡＴＶ端末の表示及び制御方法に関わるもである。
【背景技術】
【０００２】  図５に示す従来技術によるＣＡＴＶ端末システムのシステム図を用いて説明する。
ＣＡＴＶ局ＣＡ１は番組コンテンツの配信とインタネットプロバイダサービスを提供している。ケーブルモデムＣＡ２は、番組コンテンツとインタネットとを電波伝送手段もしくは光伝送手段のＣＡＴＶ回線Ｎ２に重畳して配信している。近来番組コンテンツはデジタル放送方式のものもありインターラクテイブのものなど必ずしも従来型放送番組の形態でない。契約者の課金データやリクエストデータなどはネット回線を経由してアプデートされるが、この部分は本願とは直接関わらないので説明を打ち切る。
番組コンテンツは、ＣＡＴＶ受信手段１のケーブルＩ／Ｆ（１ｃ）を経由して、チャンネルセレクタ・デコーダ１ａで選択され画像信号と音声信号が復調される。一方インターネットチャンネルは、ルータ１ｂで分岐されＰＣボード３の通信制御手段に接続される。【０００３】  ＣＡＴＶ端末２はチャンネルセレクタ・デコーダ１ａからの画像及び音声信号、外部ＡＶ機器からの画像及び音声信号並びに内蔵のＰＣボード３で生成されたＰＣ画像及びＰＣ音声など複数の信号が入力される。画像変換・選択手段４は複数の画像データを選択出力すると共にコンテンツデータを分離出力する。複数の画像データはスケーラ手段８においてＣＡＴＶ端末２の主表示部Ｍ１に表示可能な表示レートの画像信号に変換されると共に必要に応じてＰＣ画像とオーバレイやマルチ表示などのオーバレイ処理がなされる。
ＣＡＴＶ端末２の主表示部Ｍ１にはＰＩＰ（Ｐｉｃｔｕｒｅ  Ｉｎ  Ｐｉｃｔｕｒｅ）形式の配信番組画面Ｇ１０、操作ボタン形式のＰＣ画像Ｇ１２及びＧ１１などが表示される。音声は音声選択手段５で選択入力され音声出力手段から音声出力される。
近年ＣＡＴＶ端末の表示部は３２型以上の横広の大型画面が増え、利用者と表示画面の距離の問題や大型画面用のタッチパネルのコストなど、画面の操作ボタンを直接操作することが困難になっている。その解決手段として光ポインターによる操作入力やリモコンによる間接操作などがあるが、使い勝手が悪いなどの問題がある。
【発明の開示】
【発明が解決しようとする課題】
【０００４】  以上に説明した問題点に鑑み、本発明は利用者の手元に小型のデイスプレイを有する補助表示端末を設置し、小型画面に対応した表示レートの画像を表示すると共に該小型画面を直接操作することの出来るＣＡＴＶ端末システムとＣＡＴＶ端末の表示及び制御方法の提案を課題とする。
【課題を解決するための手段】
【０００５】  ＣＡＴＶ端末システムを、
ＣＡＴＶ回線を経由して番組コンテンツを受信するＣＡＴＶ端末システムにあって、ＣＡＴＶ局から送出される番組コンテンツを選択受信すると共に一般のインターネットと接続する機能を有するＣＡＴＶ受信手段と、
該ＣＡＴＶ受信手段の外部制御、インターネットブラウザ制御、該受信手段との通信接続制御及び内部制御などを行うＰＣボードと、ＣＡＴＶ受信手段からの画像及び該ＰＣボードよりのコンテンツ画像などをデータ変換し、複数の画像データを選択出力する画像変換・選択手段と、画像データを任意の表示レートに変換すると共に画像をマルチ表示もしくは重畳表示させるオーバレイ機能を有する第一のスケーラ手段と、第二のスケーラ手段と、ＣＡＴＶ受信手段からの音声及び該ＰＣボードよりの音声データを複数選択出力する入力音声選択部と、複数の同期信号を生成出力する同期生成手段と、第一のスケーラ手段よりの画像データと同期信号とを合成出力すると共に入力音声選択部よりの複数の音声データより任意の音声データを選択出力する第一のドライバと、第二のスケーラ手段よりの画像データと同期信号とを合成出力すると共に入力音声選択部よりの複数の音声データより任意の音声データを選択出力する第二のドライバと、画像変換・選択手段、スケーラ手段、同期生成手段、入力音声選択部、ＰＣボード、リモコン入力処理などを制御するＰＩＰ制御手段と、第一のドライバよりの出力番組（出力コテンツ）の表示と音声を出力する主表示部とを有するＣＡＴＶ端末と、
第二のドライバよりの出力番組（出力コテンツ）の表示と音声出力する補助表示端末とで構成する。【０００６】  ＣＡＴＶ端末の画像変換・選択手段に、受信選択した番組コンテンツよりコンテンツデータを分離出力するコンテンツデータ分離部を追加設置する。【０００７】  ＣＡＴＶ端末に、リモコンの選択情報、受信チャンネル情報、音量情報などをスクリーン上に表示出力するＯＳＤ処理部を追加設置する。【０００８】  ＣＡＴＶ端末のＰＣボードに、インターネットやメールアドレスやＵＲＬ（Ｕｎｉｆｏｒｍ  Ｒｅｓｏｕｒｃｅ  Ｌｏｃａｔｉｏｎ）などを記憶登録するブックマークを追加設置する。【０００９】  ＣＡＴＶ端末に、３個以上のスケーラ手段及びドライバを備えると共に各々任意の表示レートで選択出力とする。【００１０】  補助表示端末の表示面上にタッチパネル手段を付設し、該補助表示端末よりＣＡＴＶ端末の操作入力を可能とする。【００１１】  ＣＡＴＶ端末と補助表示端末に、画像データ、音声データ及び制御データを重畳したシリアルデータに変調・復調するエンコーダ・デコーダと、無線方式の送受信を行う通信手段とを追加設置し、両端末をコードレス接続する。【００１２】  通信手段を誤差拡散法による微弱電波伝送、若しくは無線ＬＡＮなどの電波伝送手段とする。【００１３】  通信手段を赤外線伝送手段とする。【００１４】  ＣＡＴＶ端末の表示及び制御方法を、
ＣＡＴＶ回線を経由して番組コンテンツを受信するＣＡＴＶ端末システムにあって、ＣＡＴＶ局から送出される番組コンテンツを選択受信すると共に一般のインターネットと接続する機能を有するＣＡＴＶ受信手段と、
ＣＡＴＶ受信手段の外部制御、インターネットブラウザ制御、該受信手段との通信接続制御及び内部制御などを行うＰＣボードと、ＣＡＴＶ受信手段からの画像及びＰＣボードよりのコンテンツ画像などをデータ変換し、複数の画像データを選択出力する画像変換・選択手段と、画像データを任意の表示レートに変換すると共に画像をマルチ表示もしくは重畳表示させるオーバレイ機能を有する第一のスケーラ手段と、第二のスケーラ手段と、ＣＡＴＶ受信手段からの音声及び該ＰＣボードよりの音声データを複数選択出力する入力音声選択部と、複数の同期信号を生成出力する同期生成手段と、第一のスケーラ手段よりの画像データと同期信号とを合成出力すると共に入力音声選択部よりの複数の音声データより任意の音声データを選択出力する第一のドライバと、第二のスケーラ手段よりの画像データと同期信号とを合成出力すると共に入力音声選択部よりの複数の音声データより任意の音声データを選択出力する第二のドライバと、画像変換・選択手段、スケーラ手段、同期生成手段、入力音声選択部、ＰＣボード、リモコン入力処理などを制御するＰＩＰ制御手段と、第一のドライバよりの出力番組（出力コテンツ）の表示と音声を出力する主表示部とを有するＣＡＴＶ端末と、
第二のドライバよりの出力番組（出力コテンツ）の表示と音声を出力する補助表示端末とで構成されるＣＡＴＶ端末システムを用いて、
画像変換・選択手段はＣＡＴＶ受信手段よりの番組コンテンツ、ＰＣボードにより生成されたＰＣ画像、外部のＡＶ機器の画像など複数の画像信号を画像データ化し、
第一のスケーラ手段は、主表示部に表示する所定表示レートの画像データに第一のスケーリング出力を行い、
第二のスケーラ手段は、補助主表示端末に表示する所定表示レートの画像データに第二のスケーリング出力を行い、
音声入力選択手段は、ＣＡＴＶ受信手段よりの番組音声、ＰＣボードにより生成されたＰＣ音声、外部のＡＶ機器の音声など複数の音声信号を選択入力し、
第一のドライバは、該第一のスケーリング出力と、同期生成手段が生成した該当表示レート同期信号と、所定の音声データとを選択合成して前記主表示部に入力し、
第二のドライバは、該第二のスケーリング出力と、同期生成手段が生成した該当表示レート同期信号と、所定の音声データとを選択合成して前記補助表示端末に入力する。【００１５】  ＣＡＴＶ端末の起動時には、
ＰＣボードは該ＣＡＴＶ端末の所定の初期画面データを生成出力し、ＰＩＰ制御手段は画像変換・選択手段及びスケーラ手段に該当初期画像の選択制御を行う。【００１６】  ＰＣボードは、コンテンツ選択ボタン画像を生成し、ＰＩＰ制御手段は画像変換・選択手段及びスケーラ手段に、該選択ボタン画像の選択制御を行う。【００１７】  ＰＣボードは、インターネット接続ボタン画像を生成し、ＰＩＰ制御手段は画像変換・選択手段及びスケーラ手段に、該インターネット接続ボタン画像の選択制御を行う。【００１８】  ＰＣボードは、ブックマークデータを記憶すると共にブックマーク選択ボタン画像を生成し、ＰＩＰ制御手段は画像変換・選択手段及びスケーラ手段に、該ブックマーク選択ボタン画像の選択制御を行う。【００１９】  ＰＩＰ制御手段は、画像変換・選択手段に、第一のスケーラ手段と第二のスケーラ手段に各々任意の画像データの出力選択制御を行う。【００２０】  補助表示端末の表示面にタッチパネル手段を付設し、該補助表示端末に表示されたコンテンツ選択ボタン、インターネット接続ボタン、ブックマーク選択ボタンなどを直接タッチ入力する。【００２１】  ＣＡＴＶ端末と補助表示端末にエンコーダ・デコーダと無線通信手段を追加設置し、両端末をコードレスで接続して操作・表示する。【００２２】  無線通信手段を誤差拡散法による微弱電波伝送手段、若しくは無線ＬＡＮなどの電波伝送手段とする。【００２３】  無線通信手段を赤外線伝送手段とする。【００２４】  ＣＡＴＶ端末に、３個以上のスケーラ手段及びドライバを備えると共に各々任意の表示レートで選択出力し、ＣＡＴＶ端末に操作機能を有する複数の補助表示端末を接続し、該ＣＡＴＶ端末を複数人による独立操作を可能とする。
【発明の効果】
【００２５】  （１）本発明によるスケーラ手段１（６）とスケーラ手段２（６’）とは、異なった任意の表示レートの画像の圧縮処理が出来るので、ＣＡＴＶ端末２の表示部Ｍ１と補助表示端末Ｍ２の表示部に各々異なった表示レート画像が表示できる。
（２）同じく異なった画面比率の画像が表示できる。
（３）元画像と表示画像の表示レートの変換が任意に出来る。
（４）ＣＡＴＶ端末２’の補助表示端末Ｍ２用の第二のドライバ９’にエンコーダデコーダ１２と通信手段１３とを、同じく補助表示端末Ｍ２にはエンコーダデコーダ１５と通信手段１４を追加設置することによりＣＡＴＶ端末２’とを補助表示端末Ｍ２ケーブルレスで接続することが出来る。
（５）図示しないが、スケーラ手段６、６’、６”及びドライバ９、９’、９”など３つ以上とする事により複数台のタッチパネル付き補助表示端末の利用が出来る。ＣＡＴＶ端末を２個以上の操作部で利用できることを意味し、ゲームコンテンツなどで競技が可能となる。
【発明を実施するための最良の形態】
【実施例】
【００２６】  図１に示す本発明による、ＣＡＴＶ端末システムの第一の実施例の基本構成図を用いて、システムの基本構成を説明する。
本発明のＣＡＴＶ端末システムは、
ＣＡＴＶ回線Ｎ２を経由して番組コンテンツを受信するＣＡＴＶ端末システムであって、ＣＡＴＶ局ＣＡ１から送出される番組コンテンツを選択受信すると共に一般のインターネットＮ１と接続する機能を有するＣＡＴＶ受信手段１と、
ＣＡＴＶ受信手段１の外部制御、インターネットブラウザ制御、該受信手段との通信接続制御及び内部制御などを行うＰＣボード３と、ＣＡＴＶ受信手段１からの画像及び該ＰＣボード３よりのコンテンツ画像などをデータ変換し、複数の画像データを選択出力する画像変換・選択手段４と、画像データを任意の表示レートに変換すると共に画像をマルチ表示もしくは重畳表示させるオーバレイ機能を有する第一のスケーラ手段６と、第二のスケーラ手段６’と、ＣＡＴＶ受信手段１からの音声及び該ＰＣボード３よりの音声データを複数選択出力する入力音声選択部５と、複数の同期信号を生成出力する同期生成手段８と、第一のスケーラ手段６よりの画像データと同期信号とを合成出力すると共に入力音声選択部５よりの複数の音声データより任意の音声データを選択出力する第一のドライバ９と、第二のスケーラ手段６’よりの画像データと同期信号とを合成出力すると共に入力音声選択部５よりの複数の音声データより任意の音声データを選択出力する第二のドライバ９’と、画像変換・選択手段４、スケーラ手段６，６’、同期生成手段８、入力音声選択部５、ＰＣボード３、リモコン入力処理などを制御するＰＩＰ制御手段１０と、第一のドライバ９よりの出力番組（出力コテンツ）の表示と音声を出力する主表示部Ｍ１とを有するＣＡＴＶ端末２と、
第二のドライバ９’よりの出力番組（出力コテンツ）の表示と音声出力する補助表示端末Ｍ２とで基本構成されている。【００２７】  次いで本願による、ＣＡＴＶ端末システムの概略動作を説明する。
第一の実施例のＣＡＴＶ局ＣＡ１は、概略３つの機能を有している。
（１）画像と音声による番組及びデジタルコンテンツ番組の送出（以下、両者を合わせて番組コンテンツと言う）。
（２）インターネットへの接続サービス。
（３）デジタル回線手法を利用した双方向サービス及び秘密通信による課金並びに契約管理。
などがあり、これらの仕組み利用して同一チャンネルで双方向性の放送と通信が行われている。【００２８】  ケーブルモデムＣＡ２は、番組コンテンツ用チャンネルとインテーネットチャンネルとを重畳して送受信するモデムであり、ＣＡＴＶ回線に通信接続されている。一方、課金及び契約管理については本願とは直接的関連が少ないので説明を省略する。【００２９】  ＣＡＴＶ受信手段１は、番組選択と番組コンテンツを復調するチャンネルセレクタ・デコー部１ａと、インターネットやメールへの接続を行うルータ１ｂとで構成され、デコードされた画像と音声が出力され、ＣＡＴＶ端末２の画像変換・選択手段４及び音声選択手段の一入力とされる。
チャンネル選択は、ＰＣボード３からの外部制御される。又、インターネットはルータ１ｂよりＰＣボード３の図示しいない通信制御手段に接続される。【００３０】  本実施例の画像変換・選択手段４には、ＰＣボード３で生成されたＰＣ画像、ＣＡＴＶ受信手段１からの番組コンテンツ画像、２系統のその他ＡＶ機器からの画像信号もしくは画像データが入力される。
これらの画像信号もしくは画像データのデータレート（以下表示レートと略称する）は各種存在する。放送画像とＰＣ画像の表示レートの相性が良い（横×縦）３２０×２４０、６４０×４８０、１０２４×７６８、１２８０×７６８、１９２０×１０８０などが用いられている。
画像変換・選択手段４は、入力された画像の内アナログ形式の信号をデジタルデータに変換した後、ＰＩＰ制御手段１０の制御指令に基づき複数選択され、スケーラ手段１とスケーラ手段２に入力する。【００３１】  番組を鑑賞する主表示部Ｍ１は、３２型以上の大画面ディスプレイパネルが用いられと共に標準放送やハイビジョン放送にも対応し、画面形状も４：３及び１６：９にも対応している。スケーラ手段６は、画像の圧縮伸張処理を行い任意の入力画像の表示レートから該主表示部Ｍ１に適合する表示レートに変換出力する。
一方、利用者の手元操作用の補助操作端末Ｍ２は７型の小型ディスプレイであり、３２０×２４０もしくは、６４０×４８０の低解像度で且つ４：３に対応したものである。
このことは、大型画面の主表示部Ｍ１と小型画面の補助操作端末Ｍ２とに同時に異なった表示レートの画像を出力する必要があることを意味する。そこで本願では、各々に対応したスケーラ手段１（６）とスケーラ手段２（６’）とを設けた。【００３２】  スケーラ手段１（６）は画像変換・選択手段４からの複数の画像データの表示レートを主表示部Ｍ１に適合する表示レートに変換すると共に複数の画像をＰＩＰ表示や重畳表示などのオーバレイ処理を施した画像データを出力する。スケーラ手段２（６’）は同じく複数の画像データを補助操作端末Ｍ２に適合する表示レートに変換した画像データを出力する。
同期生成手段８は、スケーラ手段の出力に対応した同期信号を生成出力する。【００３３】  ドライバ９は、主表示部Ｍ１に対応し、スケーラ手段１の出力画像データと、同期信号と、音声選択手段５が選択入力した音声信号とを合成出力する。
ドライバ９’は、補助表示端末Ｍ２に対応し、スケーラ手段２の出力画像データと、同期信号と、音声選択手段５が選択入力した音声信号とを合成出力する。【００３４】  ＰＩＰ制御手段１０は、外部リモコンＲによるリモート制御信号を受信解読すると共にＣＡＴＶ端末２全般をプログラム制御する。
補助表示端末Ｍ２に追加設置されたタッチパネルＰは、表示部の前面に付設された透明電極を有する操作パネルで、表示画面上の操作ボタン画像に対応し、指やタッチペンなどの位置情報を発生する機能を持つ。【００３５】  図２に示す本発明による、ＣＡＴＶ端末システムの第二の実施例のシステムブロック図を用いて、ＣＡＴＶ端末の詳細構成と動作を説明する。
第二の実施例のＣＡＴＶ端末２は、
ブラウザ制御プログラム、ＰＣコンテンツデータ、通信制御データ、外部制御データなどを記憶して制御メモリ３７と、ＣＡＴＶ受信手段１のルータ１ｂとの通信制御を行う通信制御部３５と、インターネットのＵＲＬやメールアドレスなどを記憶登録スルブックマーク３６と、ＣＡＴＶ受信手段１や外部ＡＶ機器などを外部制御する外部制御部３４と、ＰＣコンテンツ画像や音声を生成するＡＶ生成部３３と、内部機能制御を行う制御部３２と、ボード外部とのＩ／Ｆ（インターフェイス）機能を持つバッファー３１とを有するＰＣボード２と、
アナログ画像信号をデジタル化する複数のＡ／Ｄ（Ａｎａｌｏｇ／Ｄｉｇｉｔａｌ  ｃｏｎｖｅｒｔｅｒ）４３、４４、４５と、複数の画像データを選択し、多チャンネルの画像データを出力する画像選択部４１と、追加設置された画像データに含まれるデジタルコンテンツデータを分類出力するコンテンツデータ分離部４２とを有する画像変換・選択手段４と、画像データの圧縮もしくは伸張及び画像の最適画像処理により第一の表示レートの画像データ処理を行う圧縮調整処理部１（６１）と複数の画像のＰＩＰ表示や重畳表示を行うオーバレイ処理部６２とからなるスケーラ手段１（６）と第二のスケーラ手段６’と、前述の同期生成手段８と、同じく前述の入力音声選択部（手段）５１と、スケーラ手段１（６）からの画像データとこれに対応した同期信号を合成出力する合成・出力部９１と入力選択された所定の音声データを選択出力する出力選択部９２とからなる第一のドライバ９と、スケーラ手段２（６’）からの画像データとこれに対応した同期信号を合成出力する合成・出力部９３と入力選択された所定の音声データを選択出力する出力選択部９４とからなる第二のドライバ９’と、画面上に選択チャンネル、音量などをオンスクリーン表示するＯＳＤ処理部７、リモコンＲからの操作データを受信解読するリモコンＩ／Ｆ（１０ｂ）と追加設置された補助操作端末Ｍ２のタッチパネルＰとのＩ／Ｆを司る操作Ｉ／Ｆ（１０ｃ）と画像選択、音声選択、画像処理制御、コンテンツデータ分離制御、ＰＣボード３の制御を行うＰＩＰ制御部１０ａと、大型画面の表示部とスピーカなどの音声出力手段を有する主表示部Ｍ１とで構成されている。【００３６】  このようにして、ＣＡＴＶ端末２の主表示部Ｍ１は、画像表示と音声出力されるるが、追加設置されたコンテンツデータ分離部４２はデジタル放送のような画像、音声及びにＣＧ並びに画面制御などが一体の場合、画像データとコンテンツデータを分離する。分離されたコンテンツデータは、ＰＩＰ制御部１０により所定の機能ブロックに転送される。
さらに第二のドライバ９’の出力コンテンツは、第一のドライバ９の出力コンテンツとは異なった内容の構成が選択可能で、操作画面のみの場合もありＰＣボード３のＡＶ生成部３３のＰＣ画像とＰＩＰ制御部１０ａの制御指令に依存する。【００３７】  補助表示端末Ｍ２は、５〜８型の小型液晶ディスプレイとスピーカを有し、該ディスプレイ画面上には透明電極とドライブ回路が形成されたタッチパネルＰが付設されており、タッチパネルＰの操作入力は操作Ｉ／Ｆ１０ｃを経由してＰＩＰ制御部１０ａ転送される。
ＰＩＰ制御部１０ａは、ＰＣボード３のＡＶ生成部３３のポジションデータを参照して操作入力コードを抽出すると共に所定の制御指令を出す。【００３８】  図３に示す本発明によるＣＡＴＶ端末システムの第三の実施例のシステムブロック図を用いて、ＣＡＴＶ端末２’の追加機能の構成と動作を説明する。
ＣＡＴＶ端末２’と補助表示端末Ｍ２をコードレス接続する目的で、ＣＡＴＶ端末２’の補助表示端末Ｍ２用の第二のドライバ９’にはエンコーダデコーダ１２と通信手段１３がシリーズに追加設置され、同じく補助表示端末Ｍ２にはエンコーダデコーダ１５と通信手段１４がシリーズに追加設置されている。エンコーダデコーダ１２はＡＶデータの変調と制御データの復調とが行われ、同じくエンコーダデコーダ１５はＡＶデータの復調と制御データの変調とが行われる。通信手段１３、１４は、無線ＬＡＮや誤差拡散法による微弱電波伝送などの電波伝送手段もしくは赤外線通信など光伝送手段による送受信部である。【００３９】  システム図に図示しないが、タッチパネル付き補助表示端末Ｍ２’を複数台追加設置すると、複数の利用者が共通のＣＡＴＶ端末を共同利用すること出来る。但し複数の操作端末を接続する訳であるから、該ＣＡＴＶ端末のアプリケションは複数操作端末に対応する必要がある。接続方法は、ワイヤ接続でも前述のワイヤレス接続でたっても良い。
利用形態は、家庭用ネットワークゲーム端末、外部ＡＶ端子にカメラなどを接続したテレビ会議に於ける補助表示端末、同様に主表示部をプロジェクタとしたプレゼンテーション端末など多様な活用が可能である。【００４０】  図４に示す本発明による基本画面構成と画面推移図を用いて、各種表示画面を説明する。
図４の（１）は基本操作中の基本画面を示し、番組画像Ｇ１’、情報コンテンツＧ２、バーナ広告Ｇ３で構成される。３種類の画面がオーバレイ表示されている。
実施例１及び２のＣＡＴＶ端末２の表示サイズは３７型でフルハイビジョン表示され、一方補助表示端末Ｍ２の表示サイズは７型でＶＧＡ表示されている。前者の表示レートは１９２０×１０８０、画面比１６：９、後者は６４０×４８０、画面比４：３である。しかるに４種類の画像が重畳されており、各々の画像は大幅に圧縮表示されている。【００４１】  図４の（２）は競馬中継にコンテツに於ける画面推移を示している。
ＡはＮＴＳＣ放送競馬中継番組の番組画像Ｇ１を元画像を表し、６４０×４８０、画面比４：３の画面であるが、実施例の表示画面に在ってはスケーラ手段１（６）により１９２０×１０８０、９：１６のワイド表示とされる。選択ボタンＢの情報コンテンツ配信画像を選択すると、縮小番組画像Ｇ１’と、情報コンテンツとしての選択ボタン画像Ｇ４、及び広告コンテンツ画像とが表示されている。選択ボタンＡ、選択ボタンＢ、選択ボタンＣ、選択ボタンＤは、出馬表、戦績データ、掛け率（オッズ）・・・などを選択するボタンである。（２）のＣは、出馬表を選択した時の選択ボタン画像で、番組画像Ｇ１”、出馬表、戦績、オッズなどのコンテンツ画像Ｇ５、広告コンテンツ画像Ｇ３’などが表示されている。（２）のＤは、広告画像Ｇ３’をクリックした時の広告クリック画像で、番組画像Ｇ１”、勝率ブック画像Ｇ６、及び広告コンテンツ画像Ｇ３”などが表示される。【００４２】  情報コンテンツ、広告コンテンツ、電子メールコンテンツなどはインターネット回線を経由してｗｅｂサーバに接続された上でメールを含むブラウザ機能により実行される。ｗｅｂサーバのＵＲＬやメールアドレスはブックマークデータとしてＰＣボード３のブックマーク３６に記憶登録されており、ボタン選択により該当ブックマークデータが読出された後自動接続される。メールの場合には、メール操作ウインドとソフトタッチのキーボードが表示される。コンテンツ番組に添付されたブックマークデータは、図示していないテンポラリメモリに一時記憶され、操作ボタンの選択により該ブックマークデータを読出し該当ＵＬＲに自動接続される。
【産業上の利用可能性】
【００４３】  以上の説明は液晶パネルやＰＤＰパネルによる家庭用ＣＡＴＶ端末を指向したが、その他の摘要例を以下に列挙する。
（１）大型プロジェクタなどのプレゼンテーションの端末。
（２）アーケドゲームセンターで用いられる通信ゲーム端末。
（３）会議システム用の補助表示端末。
【図面の簡単な説明】
【００４４】
【図１】  本発明による、ＣＡＴＶ端末システムの第一の実施例の基本構成図である。
【図２】  本発明による、ＣＡＴＶ端末システムの第二の実施例のシステムブロック図である。
【図３】  本発明による、ＣＡＴＶ端末システムの第三の実施例のシステムブロック図である。
【図４】  本発明による、基本画面構成と画面推移図である。
【図５】  従来技術によるＣＡＴＶ端末システムのシステムブロック図である。
【符号の説明】
【００４５】  ＣＡ１  ＣＡＴＶ局
ＣＡ２  ケーブルモデム
Ｍ１  主表示部
Ｍ２  補助操作端末
Ｎ１  インターネット
Ｎ２  ＣＡＴＶ回線
Ｐ  タッチパネル
Ｒ  リモコン
１  ＣＡＴＶ受信手段
１ａ  チャンネルセレクタ・デコー部
１ｂ  ルータ
１ｃ  ケーブルＩ／Ｆ
２  ＣＡＴＶ端末
３  ＰＣボード
４  画像変換・選択手段
５  入力音声選択部
６，６’  スケーラ手段
７  ＯＳＤ処理部
８  同期生成手段
９、９’  ドライバ
１０  ＰＩＰ制御手段
１０ａ  ＰＩＰ制御部
１０ｂ  リモコンＩ／Ｆ
１０ｃ  操作Ｉ／Ｆ
１２、１５  エンコーダ・デコーダ
１３、１４  通信手段
３１  バッファー
３２  制御部
３３  ＡＶ生成部
３４  外部制御部
３５  通信制御部
３６  ブックマーク
３７  制御メモリ
４１  画像選択部
４２  コンテンツデータ分離部
４３、４４、４５  Ａ／Ｄ
５１  入力音声選択部
６１  圧縮調整処理部１
６２、６４  オーバレイ処理部
６３  圧縮調整処理部２
９１、９３  合成・出力部
９２、９４  出力選択部
【図１】
2006352812.tif 000003
【図２】
2006352812.tif 000004
【図３】
2006352812.tif 000005
【図４】
2006352812.tif 000006
【図５】
2006352812.tif 000007